(57)【要約】【課題】どの方向から見てもきらめき感が得られるランプ装置を提供する。【解決手段】ランプ装置10は、筐体11、筐体11に対向する対向部12、筐体11と対向部12との間に設けられる筒状の透明部21を備える。透明部21の内側で筐体11および対向部12のいずれか一方に発光源15を設ける。透明部21の内側で発光源15に対向して筐体11および対向部12のいずれか他方に反射部16を設ける。反射部16は、発光源15からの光を反射させるとともに、その反射方向をランプ中心軸ｚに対して９０°以内でかつ反射させる光が筐体11および対向部12のいずれか一方に当たらない角度の範囲とする。筐体11側には給電部17を設ける。【選択図】図１
2018055826.tif 000002
【特許請求の範囲】
【請求項１】
筐体と；
前記筐体に対向する対向部と；
前記筐体と前記対向部との間に設けられる筒状の透明部と；
前記透明部の内側で前記筐体および前記対向部のいずれか一方に設けられる発光源と；
前記透明部の内側で前記発光源に対向して前記筐体および前記対向部のいずれか他方に設けられ、前記発光源からの光を反射させるとともに、その反射方向をランプ中心軸に対して９０°以内でかつ反射させる光が前記筐体および前記対向部のいずれか一方に当たらない角度の範囲とする反射部と；
前記筐体側に設けられる給電部と；
を具備することを特徴とするランプ装置。
【請求項２】
前記反射部は、前記発光源に対向して突出する円錐状に設けられている
ことを特徴とする請求項１記載のランプ装置。
【請求項３】
請求項１または２記載のランプ装置と；
前記ランプ装置の前記給電部を接続するソケットと；
を具備することを特徴とする照明装置。
【発明の詳細な説明】
【技術分野】
【０００１】
本発明の実施形態は、きらめき感が得られるランプ装置、およびこのランプ装置を用いた照明装置に関する。
【背景技術】
【０００２】
従来、透明なガラスグローブを用いることで、フィラメントが見える白熱クリア電球がある。この白熱クリア電球の点灯時には、透明なガラスグローブを透過して見えるフィラメントから強い光が出ることで、きらめき感が得られる。
【０００３】
また、発光素子を光源とし、透明なグローブを用い、白熱クリア電球に代替え可能なランプ装置がある。このランプ装置においては、発光素子からの光を導光体によってグローブの中心部に導光して放出するようにしたり、複数の発光素子を備えた発光モジュールをグローブの内部空間に配置している。
【０００４】
このようなランプ装置を照明装置に装着した場合、照明装置の種類によってランプ装置の装着方向が様々であって、ランプ装置を見た際のランプ装置の向きが様々となるため、ランプ装置をどの方向から見てもきらめき感が得られることが好ましい。
【先行技術文献】
【特許文献】
【０００５】
【特許文献１】特開２０１６−９６１２０号公報
【発明の概要】
【発明が解決しようとする課題】
【０００６】
本発明が解決しようとする課題は、どの方向から見てもきらめき感が得られるランプ装置および照明装置を提供することである。
【課題を解決するための手段】
【０００７】
実施形態のランプ装置は、筐体、筐体に対向する対向部、筐体と対向部との間に設けられる筒状の透明部を備える。透明部の内側で筐体および対向部のいずれか一方に発光源を設ける。透明部の内側で発光源に対向して筐体および対向部のいずれか他方に反射部を設ける。反射部は、発光源からの光を反射させるとともに、その反射方向をランプ中心軸に対して９０°以内でかつ反射させる光が筐体および対向部のいずれか一方に当たらない角度の範囲とする。筐体側には給電部を設ける。
【発明の効果】
【０００８】
本発明によれば、ランプ装置をどの方向から見てもきらめき感が得られることが期待できる。
【図面の簡単な説明】
【０００９】
【図１】第１の実施形態を示すランプ装置の側面図である。
【図２】同上ランプ装置の斜視図である。
【図３】同上ランプ装置の配光図である。
【図４】同上ランプ装置を用いた照明装置の１つの灯体の概略図である。
【図５】第２の実施形態を示すランプ装置の側面図である。
【図６】第３の実施形態を示すランプ装置の側面図である。
【発明を実施するための形態】
【００１０】
以下、第１の実施形態を、図１ないし図４を参照して説明する。
【００１１】
図１および図２に、ランプ装置10を示す。ランプ装置10は、一般照明に用いられる白熱電球用のソケットに装着して使用可能な電球形ランプである。なお、ランプ装置10は、仮想のランプ中心軸ｚを有しており、ランプ中心軸ｚに沿ったランプ装置10の一端側を前端側、他端側を後端側として説明する。
【００１２】
ランプ装置10は、筐体11、この筐体11の前端側に対向して配設される対向部12としての放熱部13、筐体11と放熱部13との間に配設されるグローブ14、グローブ14の内側で放熱部13に配設される発光源15、およびグローブ14の内側で発光源15に対向して筐体11に配設される反射部16、筐体11の後端側に配設される給電部17、および筐体11の内側に配設される電源部18を備えている。
【００１３】
そして、ランプ装置10は、筐体11からグローブ14を通じて放熱部13の先端部（前端部）に亘って連続する外形状であって、先端部が円錐状に尖ったキャンドル形ランプの外形状に近似した外形状に形成されている。
【００１４】
また、筐体11は、例えば金属材料によって円筒状に形成されている。すなわち、筐体11は、前端側の径が後端側の径よりも大きく、後端側から前端側に向かって拡径する円筒状に形成されている。
【００１５】
また、対向部12である放熱部13は、例えば金属材料によって、先端側（前端側）が先細りとなる円錐状に形成されている。放熱部13の内側は、中実状に形成されていてもよいし、後方に開口する中空状に形成されていてもよい。
【００１６】
また、グローブ14は、例えば樹脂やガラス等の材料で円筒状に形成されている。グローブ14は、前後に開口する円筒状の透明部21を有している。透明部21は、筐体11および放熱部13の外面に連続するように、後端側から前端側へ向けて縮径するように形成され、筐体11および放熱部13にそれぞれ固着されている。
【００１７】
また、発光源15は、発光モジュールによって構成されている。発光モジュールとしては、例えば、基板、この基板に実装された複数の発光素子（ＬＥＤ）、これら発光素子の周囲を囲む枠部、および枠部内に発光素子を封止するように充填された蛍光体層を備えるＣＯＢ（Chip On Board）モジュールが用いられる。発光源15は、蛍光体層の表面で構成される円形の発光面15aを有している。発光面15aの径は、きらめき感を得るうえで、例えば４〜９ｍｍの範囲が好ましく、より好ましくは６ｍｍ以下である。また、発光面15aの面積は、きらめき感を得るうえで、例えば１６．６ｍｍ2 以下であることが好ましい。
【００１８】
そして、発光源（発光モジュール）15は、放熱部13が中実状であれば、放熱部13の後面側に熱伝導シートを介して配設され、また、放熱部13が中空状であれば、放熱部13の後面側に放熱板および熱伝導シートを介して配設される。いずれの場合にも、発光源15は放熱部13に熱的に接続される。
【００１９】
また、反射部16は、筐体11の前端側に配設されている。反射部16は、絶縁性を有する樹脂材料によって、発光源15の中央に対向して突出するように円錐状に形成されている。反射部16の頂部は、ランプ中心軸ｚと一致されている。反射部16の表面には、例えば鏡面で構成される反射面23が形成されている。
【００２０】
そして、ランプ中心軸ｚに直交する方向に対する反射部16の反射面23の傾斜角度α（発光源15の発光面15aに対する反射部16の反射面23の傾斜角度α）は、１７°以上３０°以下の範囲にある。さらに、反射部16の反射面23は、頂部から周辺部に亘って傾斜角度が連続的に変化するように形成されている。
【００２１】
この反射部16は、発光源15からの光を透明部21へ向けて反射させるとともに、その反射方向をランプ中心軸ｚに対して９０°以内の角度でかつ反射させる光が放熱部13に当たらない角度（反射させる光が放熱部13の周辺部に当たる角度よりも大きい角度）の範囲とする。
【００２２】
より具体的には、発光源15の周辺部の１箇所から、ランプ中心軸ｚを介して反対側に位置する反射部16の周辺部へ向かった光が、ランプ中心軸ｚに対して９０°以内に反射させる。また、発光源15の周辺部の１箇所から反射部16の中央側（頂部側）へ向かった光が、放熱部13の側方を通過して外部へ出るように反射させる。
【００２３】
また、給電部17は、筐体11の後端側に絶縁部材を介して設けられている。給電部17は、例えばＥ１７やＥ２６等の一般照明に用いられる白熱電球用のソケットに接続可能な口金が用いられている。なお、図１および図２には、口金の具体的な構造の図示を省略し、概略的に示している。また、給電部17は、口金に限らず、ランプ種類によっては一対のピンでもよい。
【００２４】
また、電源部18は、給電部17から入力する交流電源を所定の直流電源に変換して発光源15（発光モジュール）に供給する。電源部18は、回路基板25、およびこの回路基板25に実装された複数の電子部品26を有している。回路基板25は、図示しない円筒状の絶縁ケースを介して筐体11の内側に配設されている。そして、電源部18の交流電源の入力部が入力配線によって給電部17に電気的に接続され、電源部18の直流電源の出力部が図示しない出力配線によって発光源15（発光モジュール）に電気的に接続されている。電源部18と発光源15とを接続する出力配線は、例えば筐体11の周辺部と放熱部13の周辺部との間に配設される支柱内の配線路に配線したり、筐体11および放熱部13に対して絶縁された状態で電源部18と発光源15との間に配設される導電性を有するワイヤ等を用いてもよい。
【００２５】
次に、図４にはランプ装置10を使用する照明装置30の１つの灯体31の概略図を示す。照明装置30は、例えば、シャンデリア器具であり、器具本体から突設された複数のアームによって複数の灯体31が支持されている。
【００２６】
照明装置30の灯体31は、台座32の上面に、例えばガラス製で円筒状の筒体33が配設されているともに、この筒体33の内側にソケット34がランプ接続方向を上方へ向けて配設されている。
【００２７】
ランプ装置10は、給電部17がソケット34に接続されることにより、放熱部13およびグローブ14が上方に向けられた状態に配置される。
【００２８】
なお、ランプ装置10の寸法の一例としては、筐体11の前端側の最大直径（グローブ14の後端の最大直径）が３４ｍｍ、発光源15の中心から筐体11の前端側周辺部を結ぶ仮想線とランプ中心軸ｚとのなす角度は３５°未満、グローブ14の後端から発光源15までの高さは２４．３ｍｍ以上、発光源15を放熱部13に配設するのに放熱板を用いる場合の放熱板の直径は２４ｍｍである。なお、ランプ装置10は、このような寸法に限定されるものではなく、用途や仕様によって適宜変更可能である。
【００２９】
そして、交流電源がソケット34を通じてランプ装置10に供給されると、電源部18が交流電源を所定の直流電源に変換して発光源15（発光モジュール）に供給する。これにより、発光源15が発光し、発光源15の発光面15aから光が出射される。
【００３０】
発光源15の発光面15aから出射される光の一部は、透明部21に直接向かい、透明部21を透過して外部へ放射される。
【００３１】
さらに、発光源15の発光面15aから出射される光の一部は、対向する反射部16の反射面23に入射し、この反射面23で反射して透明部21から外部へ放射される。このとき、反射部16の反射面23に入射した光の大部分は、この反射面23で反射して透明部21から外部へ放射される。しかも、その反射光の反射方向をランプ中心軸ｚに対して９０°以内の角度でかつ反射させる光が放熱部13に当たらない角度（反射させる光が放熱部13の周辺部に当たる角度よりも大きい角度）の範囲とする。
【００３２】
そして、ランプ装置10は、発光源15の発光面15aを後方に向けて配設しているため、発光源15から透明部21を通過してランプ装置10の後方へ向かう光が確保される。さらに、発光源15の発光面15aに対向して反射部16を配設しているため、発光源15から透明部21を通過してランプ装置10の側方から斜め前方の範囲へ向かう光も確保される。
【００３３】
図３にはランプ装置10の配光図を示す。０°方向が給電部17側である後方、１８０°方向が放熱部13およびグローブ14側である前方である。この配光図に示されるように、ランプ装置10の斜め後方への光の配光分布が多く、真後や前方への配光分布が少ない。
【００３４】
図４に示したように、シャンデリア器具では、ランプ装置10の真後にはソケット34や台座32等があるため、ランプ装置10の真後への配光は不要（不要領域）であり、斜め後方への配光は必要（必要領域）である。かつ、ランプ装置10の上方への配光は天井側であるため少なくてよい。そのため、ランプ装置10の配光は、シャンデリア器具に適する。
【００３５】
また、ランプ装置10を斜め後方から見た場合、発光源15が直接見える。このとき、反射部16で反射する光は、ランプ中心軸ｚに対して９０°以内の角度であって、側方や斜め前方へ向かうため、ランプ装置10を斜め後方からでは反射部16が光っているようには見えない。そのため、ランプ装置10を斜め後方から見た場合、発光源15が１つの小さい発光部として見えやすく、白熱クリア電球が点灯しているような、きらめき感を再現することができる。
【００３６】
また、ランプ装置10を斜め前方から見た場合、反射部16に映る発光源15の像が見える。このとき、ランプ装置10を斜め前方からでは発光源15は放熱部13に隠れて直接見えない。そのため、反射部16に映る発光源15の像が１つの小さい発光部として見えやすく、白熱クリア電球が点灯しているような、きらめき感を再現することができる。
【００３７】
また、ランプ装置10を側方から見た場合にも、発光源15が直接見えるときには、反射部16は光っているようには見えず、また、反射部16に映る発光源15の像が見えるときには、発光源15は直接見えないため、発光源15または反射部16に映る発光源15の像のいずれか一方が１つの小さい発光部として見えやすく、白熱クリア電球が点灯しているような、きらめき感を再現することができる。
【００３８】
したがって、ランプ装置10の後方から前方の範囲のどの方向からみても、白熱クリア電球が点灯しているような、きらめき感を再現することができる。
【００３９】
また、発光源15が発光時に発生する熱は、放熱部13に伝わり、この放熱部13の表面からが空気中に放熱される。
【００４０】
このように、第１の実施形態のランプ装置10によれば、発光源15に対向して反射部16を配設し、この反射部16により、発光源15からの光を透明部21へ向けて反射させるとともに、その反射方向をランプ中心軸ｚに対して９０°以内の角度でかつ反射させる光が放熱部13に当たらない角度（反射させる光が放熱部13の周辺部に当たる角度よりも大きい角度）の範囲とするため、ランプ装置10をどの方向からみても、白熱クリア電球が点灯しているような、きらめき感を再現することができる。
【００４１】
しかも、反射部16は、反射させる光が放熱部13に当たらない角度（反射させる光が放熱部13の周辺部に当たる角度よりも大きい角度）としているため、光が放熱部13で遮られるのを低減し、グローブ14（透明部21）内での不要な光の散乱を防止できるとともに、発光源15の光をランプ装置10の外部に取り出すことができる光取出効率を高くできる。
【００４２】
さらに、反射部16は、発光源15に対向して突出する円錐状に設けているため、光の反射方向を上述した適切な範囲に制御できる。例えば、ランプ中心軸ｚに直交する方向に対する反射部16の反射面23の傾斜角度α（発光源15の発光面15aに対する反射部16の反射面23の傾斜角度α）を、１７°以上３０°以下の範囲にすることにより、光の反射方向を上述した適切な範囲に制御できる。
【００４３】
さらに、反射部16の反射面23は、頂部から周辺部に亘って傾斜角度が連続的に変化するように形成しているため、反射部16に映る発光源15の像が分割せず、１つの小さい発光部として見えやすくでき、ひらめき感を再現することができる。
【００４４】
また、発光源15の発光面15aを後方に向けて配設しているランプ装置10では、後方への配光分布を確保することができるため、シャンデリア器具等に対応できる。
【００４５】
さらに、筐体11に対向する対向部12として放熱部13を用い、この放熱部13に発光源15を配設することにより、発光源15が筐体11側に設けられなくても、発光源15の放熱性を確保することができる。
【００４６】
次に、図５に第２の実施形態を示す。なお、第１の実施形態と同じ構成については、同じ符号を用いてその構成および作用効果の説明を省略する。
【００４７】
ランプ装置10は、グローブ14の透明部21が軸方向に同径の円筒状に形成されている。
【００４８】
反射部16は、このグローブ14の形状に対応して、ランプ中心軸ｚに直交する方向に対する反射部16の反射面23の傾斜角度α（発光源15の発光面15aに対する反射部16の反射面23の傾斜角度α）を、２１°以上３０°以下の範囲にしている。
【００４９】
そして、反射部16の傾斜角度αが２１°以上３０°以下の範囲であることにより、発光源15からの光を透明部21へ向けて反射させるとともに、その反射方向をランプ中心軸ｚに対して９０°以内の角度でかつ反射させる光が放熱部13に当たらない角度（反射させる光が放熱部13の周辺部に当たる角度よりも大きい角度）の範囲にすることができる。そのため、グローブ14の透明部21が軸方向に同径の円筒状の場合にも、ランプ装置10をどの方向からみても、白熱クリア電球が点灯しているような、きらめき感を再現することができる。
【００５０】
また、放熱部13の最大直径が大きくなるため、放熱部13による発光源15の放熱性を向上できる。
【００５１】
次に、図６に第３の実施形態を示す。なお、第１の実施形態と同じ構成については、同じ符号を用いてその構成および作用効果の説明を省略する。
【００５２】
発光源15と反射部16は、第１および第２の実施形態とは逆に配設するものとし、すなわち、発光源15を筐体11側に配設し、この発光源15に対向する反射部16を対向部12側に配設する。
【００５３】
このように、発光源15と反射部16を第１および第２の実施形態とは逆に配設した場合においても、第１および第２の実施形態と同様の作用効果を得ることができる。
【００５４】
すなわち、ランプ装置10を斜め後方から見た場合、反射部16に映る発光源15の像が見える。このとき、ランプ装置10を斜め後方からでは発光源15は筐体11に隠れて直接見えない。そのため、反射部16に映る発光源15の像が１つの小さい発光部として見えやすく、白熱クリア電球が点灯しているような、きらめき感を再現することができる。
【００５５】
また、ランプ装置10を斜め前方から見た場合、発光源15が直接見える。このとき、反射部16で反射する光は、ランプ中心軸ｚに対して９０°以内の角度であって、側方や斜め前方へ向かうため、ランプ装置10を斜め前方からでは反射部16が光っているようには見えない。そのため、ランプ装置10を斜め前方から見た場合、発光源15が１つの小さい発光部として見えやすく、白熱クリア電球が点灯しているような、きらめき感を再現することができる。
【００５６】
また、ランプ装置10を側方から見た場合にも、発光源15が直接見えるときには、反射部16は光っているようには見えず、また、反射部16に映る発光源15の像が見えるときには、発光源15は直接見えないため、発光源15または反射部16に映る発光源15の像のいずれか一方が１つの小さい発光部として見えやすく、白熱クリア電球が点灯しているような、きらめき感を再現することができる。
【００５７】
したがって、ランプ装置10の後方から前方の範囲のどの方向からみても、白熱クリア電球が点灯しているような、きらめき感を再現することができる。
【００５８】
また、発光源15は筐体11側に配設されるため、対向部12は、放熱部13で構成しなくてもよく、例えばグローブ14の一部で構成してもよい。
【００５９】
なお、ランプ装置10は、電源部18を備えていなくてもよい。この場合、器具側に配設した電源部から直流電源をランプ装置10に供給する。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
10    ランプ装置
11    筐体
12    対向部
15    発光源
16    反射部
17    給電部
21    透明部
30    照明装置
34    ソケット
ｚ    ランプ中心軸
【図１】
2018055826.tif 000003
【図２】
2018055826.tif 000004
【図３】
2018055826.tif 000005
【図４】
2018055826.tif 000006
【図５】
2018055826.tif 000007
【図６】
2018055826.tif 000008